(57)【要約】【課題】記録ヘッドにおける温度のばらつきを低減することができる記録装置を提供する。【解決手段】用紙Ｐを搬送する搬送部と、搬送部により用紙Ｐが搬送される搬送方向と交差する幅方向に延びて設けられ、用紙Ｐに記録を行う記録ヘッド３０と、記録ヘッド３０を支持する支持フレーム３５と、支持フレーム３５に配置され、記録ヘッド３０における幅方向の一端側及び他端側にそれぞれ設けられ、駆動することで熱を発生する搬送モーター２４及び調節モーター２５と、記録ヘッド３０における幅方向の一端側及び他端側の間となる部分に接触して設けられるとともに各モーター２４、２５を連結する連結部８０とを備え、連結部８０は熱伝導材料で形成されている。【選択図】図２
2016159505.tif 000002
【特許請求の範囲】
【請求項１】
媒体を搬送する搬送部と、
前記搬送部により前記媒体が搬送される第１方向と交差する第２方向に延びて設けられ、前記媒体に記録を行う記録ヘッドと、
前記記録ヘッドを支持する支持フレームと、
前記支持フレームに配置され、前記記録ヘッドにおける前記第２方向の一端側及び他端側にそれぞれ設けられ、駆動することで熱を発生する複数の発熱体と、
前記記録ヘッドにおける前記第２方向の一端側及び他端側の間となる部分に接触して設けられるとともに複数の前記発熱体を連結する連結部とを備え、
前記連結部は熱伝導材料で形成されていることを特徴とする記録装置。
【請求項２】
前記記録ヘッド及び前記発熱体のうち少なくとも一方は、前記発熱体から発生する熱の少なくとも一部を放散する放熱部を備えることを特徴とする請求項１に記載の記録装置。
【請求項３】
前記記録ヘッドが行う液体の吐出動作を制御するヘッド制御基板を備え、前記ヘッド制御基板は、前記第２方向において一方の前記発熱体を挟んで前記記録ヘッドと隣り合うように設けられていることを特徴とする請求項１又は請求項２に記載の記録装置。
【請求項４】
外部から入力される電圧を予め定められた電圧に変換して出力する電源基板を備え、前記電源基板は、前記ヘッド制御基板よりも前記記録ヘッドから離間した位置に設けられていることを特徴とする請求項３に記載の記録装置。
【請求項５】
少なくとも前記記録ヘッドを内部に有する筐体を備え、記録装置の動作を制御する複数の基板が配置される基板配置領域を前記筐体内に備えることを特徴とする請求項１乃至請求項４のうち何れか一項に記載の記録装置。
【発明の詳細な説明】
【技術分野】
【０００１】
本発明は、例えばインクジェット式プリンターなどの記録装置に関する。
【背景技術】
【０００２】
従来から、記録装置の一種として、媒体の一例である用紙に液体の一例であるインクをノズルから吐出することにより画像等の記録を行うインクジェット式のプリンターが知られている。このようなプリンターにおいて、ノズルからインクを吐出するときには、記録ヘッドに設けられた圧電素子に電圧が印加される。そして、その際には圧電素子の発熱により記録ヘッドの温度が上昇し、その熱膨張により記録ヘッドが変形することがあり得る。
【０００３】
特に、記録ヘッドが用紙の搬送方向と交差する方向を長手方向とする長尺のものである場合、その長手方向において位置を異にする複数のノズルのうちインクの吐出が頻繁なノズルとそうでないノズルとでは圧電素子の発熱量が異なり、その長手方向において記録ヘッドに温度差が生じる。このとき、熱膨張による記録ヘッドの変形量が長手方向で異なってしまうため、ノズルごとでインクの吐出特性にばらつきが生じてしまい、画質の劣化を引き起こすことがあった。
【０００４】
そこで、記録ヘッドの長手方向に沿って延びる熱伝導性のよい支持部材により記録ヘッドを支持し、その支持部材により記録ヘッドから伝達される熱を放熱することによって、記録ヘッドの長手方向での温度差を低減させるようにしたインクジェット記録ヘッドが提案されている（例えば特許文献１）。
【先行技術文献】
【特許文献】
【０００５】
【特許文献１】特開２００８−６２４３４号公報
【発明の概要】
【発明が解決しようとする課題】
【０００６】
ところで、特許文献１のプリンターのように、記録ヘッドが長手方向に長尺のものである場合、記録ヘッドは支持フレームに支持されるのが一般的である。ここで、圧電素子と比較して発熱量の大きなモーター、例えば用紙を搬送する搬送部を駆動させる搬送モーターなどが支持フレームを介して記録ヘッドにおける長手方向の端部に配置されていると、熱伝導性のよい支持部材を設けていたとしても、記録ヘッドの長手方向において温度差が生じてしまうことがあった。
【０００７】
本発明は、上記実情に鑑みてなされたものであり、その目的は、記録ヘッドにおける温度のばらつきを低減することができる記録装置を提供することにある。
【課題を解決するための手段】
【０００８】
上記課題を解決する記録装置は、媒体を搬送する搬送部と、前記搬送部により前記媒体が搬送される第１方向と交差する第２方向に延びて設けられ、前記媒体に記録を行う記録ヘッドと、前記記録ヘッドを支持する支持フレームと、前記支持フレームに配置され、前記記録ヘッドにおける前記第２方向の一端側及び他端側にそれぞれ設けられ、駆動することで熱を発生する複数の発熱体と、前記記録ヘッドにおける前記第２方向の一端側及び他端側の間となる部分に接触して設けられるとともに複数の前記発熱体を連結する連結部とを備え、前記連結部は熱伝導材料で形成されている。
【０００９】
この構成によれば、記録ヘッドにおいて長手方向となる第２方向の一端側及び他端側にそれぞれ設けられた複数の発熱体から生じる熱が連結部の熱伝導作用により均一化される。そのため、各発熱体から記録ヘッドの両端部にそれぞれ伝わる熱が均一化される。したがって、記録ヘッドにおける温度のばらつきを低減することができる。
【００１０】
上記記録装置において、前記記録ヘッド及び前記発熱体のうち少なくとも一方は、前記発熱体から発生する熱の少なくとも一部を放散する放熱部を備えることが好ましい。
この構成によれば、発熱体から生じる熱により温められる記録ヘッドの過剰な温度上昇を抑えることができ、記録ヘッドの温度上昇に伴う記録不良を抑制できる。
【００１１】
上記記録装置においては、前記記録ヘッドが行う液体の吐出動作を制御するヘッド制御基板を備え、前記ヘッド制御基板は、前記第２方向において一方の前記発熱体を挟んで前記記録ヘッドと隣り合うように設けられていることが好ましい。
【００１２】
この構成によれば、記録ヘッドを制御するヘッド制御基板が第２方向において一方の発熱体を挟んで記録ヘッドと隣り合うように設けられているため、記録ヘッドとヘッド制御基板とを繋ぐ配線を短くすることができ、外部からのノイズを低減することができる。
【００１３】
上記記録装置においては、外部から入力される電圧を予め定められた電圧に変換して出力する電源基板を備え、前記電源基板は、前記ヘッド制御基板よりも前記記録ヘッドから離間した位置に設けられていることが好ましい。
【００１４】
この構成によれば、電源基板は発熱量が大きいため、電源基板をヘッド制御基板よりも記録ヘッドから離間した位置に配置することで記録ヘッドの過剰な温度上昇を抑えることができ、記録ヘッドの温度上昇に伴う記録不良を抑制できる。
【００１５】
上記記録装置においては、少なくとも前記記録ヘッドを内部に有する筐体を備え、記録装置の動作を制御する複数の基板が配置される基板配置領域を前記筐体内に備えることが好ましい。
【００１６】
この構成によれば、筐体内において複数の基板が基板配置領域にまとめて配置されるため、基板同士を繋ぐ配線を短くすることができ、コストを抑制することができる。
【図面の簡単な説明】
【００１７】
【図１】プリンターの一実施形態について、その概略構成を示す側面図。
【図２】プリンターの概略構成を示す正面図。
【図３】排紙トレイの概略構成を示す斜視図。
【図４】記録ヘッドの変形例についての構成を示す概略図。
【発明を実施するための形態】
【００１８】
以下、記録装置の一種であるインクジェット式プリンター（以下、「プリンター」と略す場合もある。）の一実施形態について図を参照して説明する。
図１に示すように、プリンター１１（記録装置）は、直方体状の筐体１２を有している。筐体１２内には、媒体の一例である用紙Ｐを鉛直方向下側から支持する支持台１３と、支持台１３に沿って用紙Ｐを搬送する搬送部２０と、用紙Ｐに液体の一例であるインクを吐出することで画像を記録する記録ヘッド３０とを備えている。
【００１９】
搬送部２０は、図１において右側から左側へ向かう方向を搬送方向（第１方向）として用紙Ｐを搬送する複数の搬送ローラー対２１を備えている（本実施形態では４対）。また、搬送方向において、支持台１３よりも上流側及び下流側となる各位置であって、それぞれ搬送方向に離れた２つの搬送ローラー対２１の間となる位置には、用紙Ｐを鉛直方向下側から支持することでガイドするガイド部２２をそれぞれ備えている。
【００２０】
搬送ローラー対２１は、鉛直方向下側から用紙Ｐに接触し、回転駆動する駆動搬送ローラー２１ａと、鉛直方向上側から用紙Ｐに接触し、駆動搬送ローラー２１ａの駆動回転に従動回転する従動搬送ローラー２１ｂとから構成されている。また、駆動搬送ローラー２１ａは、搬送モーター２４と接続され、搬送モーター２４の駆動により駆動搬送ローラー２１ａが回転する（図２参照）。すなわち、搬送部２０は、搬送ローラー対２１が用紙Ｐを鉛直方向において上下から挟み込んだ状態で、駆動搬送ローラー２１ａが回転駆動することで、支持台１３の上面及びガイド部２２の上面に沿って用紙Ｐを搬送する。
【００２１】
記録ヘッド３０は、搬送方向及び鉛直方向の双方と交差する幅方向（第２方向）を長手方向にして延びる所謂ラインヘッドであって、支持台１３と対向する位置に設けられている。また、記録ヘッド３０において支持台１３と対向する下面は、幅方向に延びる複数のノズル列３１が形成されたノズル形成面３２を構成している。そして、記録ヘッド３０は、ノズル列３１を構成する複数のノズル３１ａからインクを吐出することで、支持台１３上を搬送される用紙Ｐの幅方向における略全域に亘って画像を記録する。
【００２２】
図１及び図２に示すように、筐体１２内において、支持台１３よりも鉛直方向上側となる位置には、記録ヘッド３０を支持可能な支持フレーム３５が図示しないブラケットを介して固定配置されている。すなわち、記録ヘッド３０は、この支持フレーム３５に支持されることにより、鉛直方向において支持台１３と対向する位置に配置される。なお、支持フレーム３５は、記録ヘッド３０における長手方向の一端と他端がそれぞれ接触する一対の金属製の支持板部３６と、両支持板部３６間に架設された金属製の長尺板部３７とを含んでいる。
【００２３】
また、記録ヘッド３０は、用紙Ｐの厚みに応じてノズル形成面３２と支持台１３の上面との距離を調節する調節機構、所謂プラテンギャップを調節可能にする機構が設けられている。調節機構は、例えばボールねじやラックアンドピニオンなどで構成される。そして、このプラテンギャップは、調節機構の一部を構成する調節モーター２５の回転駆動により調節される（図２参照）。
【００２４】
図１において、筐体１２の右側壁には、用紙Ｐが筐体１２内へ挿入される挿入口２７が開口している。また、その反対側であって、筐体１２の左側壁には、用紙Ｐが筐体１２内から外へ排出される排出口２８が開口している。さらに、排出口２８の直下には、筐体１２から搬送方向下流側に向かって延びる排紙トレイ２９が形成されている。
【００２５】
すなわち、プリンター１１は、挿入口２７から挿入された用紙Ｐを搬送部２０により搬送し、記録ヘッド３０により記録を行った上で排出口２８から筐体１２外へ排出する。排出口２８から排出される記録済とされた用紙Ｐは、排紙トレイ２９の鉛直方向上側の面となる載置面２９ａに載置される。なお、筐体１２内における鉛直方向下側の領域に、記録前の用紙Ｐが積層状態で載置される媒体載置部を設けて、媒体載置部に載置された用紙Ｐを１枚ずつ搬送し、次々に記録を行う構成であってもよい。
【００２６】
筐体１２内の鉛直方向上側であって、搬送方向において下流側（図１において左側）となる位置には、記録ヘッド３０へ供給されるインクを貯留する液体貯留部４０が設けられている。液体貯留部４０は、互いに異なる色（本実施形態では４種類）のインクをそれぞれ貯留するインクカートリッジ４１、４２、４３、４４を含んで構成されている。各インクカートリッジ４１〜４４は、幅方向に延びる直方体状で、筐体１２に対して着脱可能に設けられている。
【００２７】
各インクカートリッジ４１〜４４には、例えば、それぞれシアン、イエロー、マゼンタ、ブラックなどの異なる色のインクがそれぞれ貯留されている。これらのインクは、液体貯留部４０と記録ヘッド３０とに接続されるインクチューブ４５により、液体貯留部４０から記録ヘッド３０に供給される。記録ヘッド３０に供給された各色のインクは、それぞれ対応するノズル列３１から吐出されることで用紙Ｐに付着される。
【００２８】
図１及び図２に示すように、筐体１２内の鉛直方向下側となる位置には、記録ヘッド３０や液体貯留部４０及びインクチューブ４５から落下するインクを受けるインクトレイ５０が設けられている。インクトレイ５０は、複数のトレイから構成されていて、本実施形態においては、第１トレイ５１と第２トレイ５２との２段で構成されている。
【００２９】
第１トレイ５１は、搬送方向において、記録ヘッド３０と液体貯留部４０の鉛直方向下側の領域を占めるように設けられている。第２トレイ５２は、第１トレイ５１よりも鉛直方向下側であって、液体貯留部４０に接続されるインクチューブ４５の端部が設けられる位置の鉛直方向下側の領域を占めるように設けられている。すなわち、インクトレイ５０は、鉛直方向の下側から見たときに、記録ヘッド３０、液体貯留部４０及びインクチューブ４５と重なるように設けられている。また、第２トレイ５２の側壁の一部には、第１トレイ５１に向かって延びる延伸部５３が設けられている。
【００３０】
図１において右側となる筐体１２内の搬送方向上流側であって、図２において右側となる筐体１２内の一部の領域には、プリンター１１の動作を制御する各種の基板がそれぞれ配置されている。本実施形態においては、メイン基板６１、ヘッド制御基板６２、インク供給基板６３及び電源基板６４が配置されている。これら各基板６１〜６４は、不図示の配線によってそれぞれ対応する部材や、基板同士が接続されている。
【００３１】
すなわち、各基板６１〜６４は、筐体１２内において、搬送部２０や記録ヘッド３０などの記録動作を行う部材が配置される領域とは異なる基板配置領域７０にまとめて配置されている。また、これらの各基板６１〜６４は、鉛直方向、幅方向及び搬送方向から見て、記録ヘッド３０、液体貯留部４０、インクチューブ４５及びインクトレイ５０と重ならないように配置されている。
【００３２】
基板配置領域７０において、メイン基板６１は、鉛直方向上側となる位置に設けられている。メイン基板６１は、搬送部２０を駆動させる搬送モーター２４や調節機構を駆動させる調節モーター２５の動作を制御したり、外部の端末、例えばＰＣと通信したりする機能を有する。
【００３３】
ヘッド制御基板６２は、幅方向から見てメイン基板６１と重なる位置であって、調節モーター２５を挟んで記録ヘッド３０と隣り合う位置に設けられている（図２参照）。また、ヘッド制御基板６２は、各基板６１〜６４のうち最も記録ヘッド３０に対して近接した位置に設けられている。そして、このヘッド制御基板６２は、ノズル３１ａからインクを吐出するために記録ヘッド３０内に設けられる圧電素子に電圧を印加する機能、すなわち、ノズル３１ａから吐出されるインクの吐出量を制御する機能を有する。
【００３４】
インク供給基板６３は、鉛直方向において中央からやや下側となる位置に設けられている。インク供給基板６３は、インクカートリッジ４１〜４４から記録ヘッド３０へインクを供給する機構、例えば加圧ポンプなどの駆動を制御する機能を有する。
【００３５】
電源基板６４は、鉛直方向下側となる位置であって、各基板６１〜６４のうち記録ヘッド３０に対して最も離間した位置に配置されている。電源基板６４は、外部（例えばコンセント）から入力される電圧を、プリンター１１が必要とする予め定められた所定の電圧へ変換する機能を有する。そのため、プリンター１１の動作時において、電源基板６４は、各基板６１〜６４の中では最も発熱量が大きい。
【００３６】
図２に示すように、支持フレーム３５における記録ヘッド３０の両端がそれぞれ接触する支持板部３６には、それぞれ搬送モーター２４及び調節モーター２５が配置されている。両支持板部３６のうち基板配置領域７０に対して遠い側となる一端側（図２では左側）の支持板部３６には、駆動搬送ローラー２１ａを駆動させる搬送モーター２４が配置され、その反対側となる基板配置領域７０に近接する他端側（図２では右側）の支持板部３６には、プラテンギャップを調節する調節モーター２５が配置されている。そして、これらの各モーター２４、２５は、連結部８０により互いに連結されている。
【００３７】
この連結部８０は、記録ヘッド３０の鉛直方向上側を記録ヘッド３０の長手方向に沿うように延びる長尺部８１と、その長尺部８１の長手方向の両端から屈曲して各モーター２４、２５に接触する屈曲部８２と、その長尺部８１の長手方向の途中から分岐して記録ヘッド３０の長手方向の途中部分に接触する分岐部８３とを含んでいる。すなわち、連結部８０の長尺部８１から分岐する分岐部８３は、記録ヘッド３０における長手方向の一端側と他端側の間となる部分に接触している。
【００３８】
また、連結部８０は、熱伝導性のよい材料である熱伝導材料で形成され、搬送モーター２４及び調節モーター２５から発生する熱がすばやく伝導する。熱伝導材料とは、例えば、アルミニウムや銅をはじめとする金属や、カーボンナノチューブ、熱伝導プラスチックなどの樹脂などが挙げられる。なお、この連結部８０の熱伝導率は、支持フレーム３５の熱伝導率よりも高くなるように構成されている。こうした連結部８０で連結された搬送モーター２４及び調節モーター２５は、駆動の際に大きく発熱するため、発熱体として機能し、記録ヘッド３０の温度上昇の要因となっている。
【００３９】
次に、インクトレイ５０について説明する。
図３に示すように、インクトレイ５０は、上側が開口した箱形状の第１トレイ５１と、同じく上側が開口した箱形状の第２トレイ５２とから構成されている。第１トレイ５１は、鉛直方向から見て、支持台１３よりも面積が大きい底面を有し、底面にはインクを吸収する吸収材が設けられている（不図示）。また、底面を四方から囲うように側壁が設けられ、底面の角部に位置する側壁の一部には切欠部５４が形成されている。
【００４０】
第２トレイ５２は、第１トレイ５１と比較して、底面の面積は小さく、底面を四方から囲う側壁の高さは大きく形成されている。第２トレイ５２の底面にも同様にインクを吸収する吸収材が設けられている（不図示）。また、底面を四方から囲う側壁の一部には、第１トレイ５１に形成された切欠部５４へ向かって鉛直上向きに延びる延伸部５３が形成されている。そして、この切欠部５４と延伸部５３に亘ってインク導入部材５５が設けられている。インク導入部材５５は、インクトレイ５０の底面に設けられる吸収材などで構成され、第１トレイ５１に吸収されたインクを第２トレイ５２に向かって移動させる機能を有する。すなわち、インクトレイ５０は、第１トレイ５１が受けたインクを順次第２トレイ５２へと移動させる構成となっている。
【００４１】
次に、プリンター１１の作用について説明する。なお、前提として、記録ヘッド３０の長手方向の一端側に位置する搬送モーター２４と、同じくその長手方向の他端側に位置する調節モーター２５とを比較した場合、それぞれの発熱量は、搬送モーター２４の発熱量の方が調節モーター２５の発熱量よりも高いものとする。
【００４２】
さて、図２に示すように、搬送モーター２４及び調節モーター２５が接触する支持フレーム３５の支持板部３６には記録ヘッド３０の両端部が接触している。そのため、各モーター２４、２５の駆動に伴い発生した熱は、支持板部３６を介して記録ヘッド３０の両端部に伝わる。この場合において、もし仮に連結部８０が存在しないとすると、記録ヘッド３０の長手方向の一端側には搬送モーター２４からの高発熱量の熱が伝わる一方、記録ヘッド３０の長手方向の他端側には調節モーター２５からの低発熱量の熱が伝わることになり、記録ヘッド３０には、その長手方向において温度のばらつきが生じてしまう。
【００４３】
ところが、本実施形態では、搬送モーター２４と調節モーター２５の間は熱伝導性のよい材料である熱伝導材料で形成された連結部８０で連結されている。そのため、例えば搬送モーター２４における相対的に大きい発熱量と、調節モーター２５における相対的に小さい発熱量とが、連結部８０による熱伝導作用により均一化される。その結果、搬送モーター２４から記録ヘッド３０の一端に伝わる熱と、調節モーター２５から記録ヘッド３０の他端に伝わる熱とのばらつきが低減される。
【００４４】
また、連結部８０による熱伝導作用で均一化された両モーター２４、２５の熱は、連結部８０の屈曲部８２から長尺部８１に伝わった後、その長尺部８１から分岐部８３を介して記録ヘッド３０における長手方向の途中部分に伝わる。その結果、記録ヘッド３０における長手方向の両端部及びその途中部分には、連結部８０による熱伝導作用で均一化された両モーター２４、２５の熱が伝わることになり、記録ヘッド３０の長手方向での温度のばらつきが低減される。
【００４５】
（１）記録ヘッド３０において長手方向となる幅方向の一端側及び他端側にそれぞれ設けられた搬送モーター２４及び調節モーター２５から生じる熱が連結部８０の熱伝導作用により均一化される。そのため、搬送モーター２４及び調節モーター２５から記録ヘッド３０の両端部にそれぞれ伝わる熱が均一化される。したがって、記録ヘッド３０における温度のばらつきを低減することができる。
【００４６】
（２）記録ヘッド３０のノズル３１ａから吐出されるインクの吐出量を制御するヘッド制御基板６２が、各基板６１〜６４のうち最も記録ヘッド３０に対して近接した位置に設けられている。したがって、記録ヘッド３０とヘッド制御基板６２とを繋ぐ配線を短くすることができ、外部からのノイズを低減することができる。
【００４７】
（３）電源基板６４は発熱量が大きいため、電源基板６４を各基板６１〜６４のうち最も記録ヘッド３０から離間した位置に配置した。したがって、記録ヘッド３０の過剰な温度上昇を抑えることができ、記録ヘッド３０の温度上昇に伴うインクの粘性の上昇等による記録不良を抑制できる。
【００４８】
（４）各基板６１〜６４が、筐体１２内における基板配置領域７０にまとめて配置されるため、各基板６１〜６４間で繋がれる配線を短くすることができ、コストを抑制することができる。また、ＥＭＣ（Electro-Magnetic Compatibility）の観点からも有利である。さらに、各基板６１〜６４を冷却する際に、その冷却を効率よく行うことができる。
【００４９】
（５）各基板６１〜６４にインクが付着することは好ましくない。そこで本実施形態では、各基板６１〜６４が、鉛直方向、幅方向及び搬送方向から見て、記録ヘッド３０、液体貯留部４０及びインクトレイ５０と重ならないように配置されている。したがって、万が一、インク漏れが生じることがあっても、各基板６１〜６４にインクが付着する虞を低減できる。
【００５０】
（６）インクトレイ５０が、記録ヘッド３０、液体貯留部４０、インクチューブ４５の鉛直方向下側となる領域に亘って設けられているので、万が一、インク漏れが起きたとしてもインクトレイ５０により受けることができる。
【００５１】
なお、上記実施形態は以下のように変更してもよい。
・上記実施形態において、図４に示すように、記録ヘッド３０の搬送方向上流側となる側面に熱を放散させる放熱部としてのヒートシンク９０を取り付ける構成でもよい。ヒートシンク９０を設けることで、搬送モーター２４及び調節モーター２５の発熱により記録ヘッド３０の温度が上昇しすぎることを抑制する。さらに、記録ヘッド３０に設けられる圧電素子も電圧が印加されると少なからず発熱するため、圧電素子から発生する熱により記録ヘッド３０の温度が上昇しすぎることも抑制できる。
【００５２】
また、ヒートシンク９０は、記録ヘッド３０の搬送方向下流側となる側面であっても鉛直方向上側となる上面に取り付けられる構成でもよい。また、各モーター２４、２５に取り付ける構成であってもよい。その場合、両者に取り付けることが好ましい。また、放熱部は、ヒートシンク９０ではなく送風するファンや液体が流れる管を設けることにより冷却する構成であってもよい。
【００５３】
・上記実施形態において、基板配置領域７０は、筐体１２内で区画壁により区画される構成や、筐体１２の外部から取り付けられるユニットであってもよい。この構成であれば、基板を冷却する際にはその効率を上昇させることができる。
【００５４】
・上記実施形態において、電源基板６４の配置は、基板の中で最も記録ヘッド３０から離間する位置に設けられる構成に限らない。例えば、電源基板６４から生じる熱が記録ヘッド３０に及ばない距離だけ離れて設けられていればよい。
【００５５】
・上記実施形態において、ヘッド制御基板６２の配置は、基板の中で最も記録ヘッド３０に近接する位置に設けられる構成に限らない。例えば、ヘッド制御基板６２と記録ヘッド３０とを繋ぐ配線に大きなノイズがのらない位置であればよい。
【００５６】
・上記実施形態において、発熱体は、搬送モーター２４及び調節モーター２５に限らない。例えば、記録ヘッド３０のノズル形成面３２をクリーニングするクリーニング機構を駆動させるためのモーターや、電磁クラッチでもよい。
【００５７】
・上記実施形態において、記録ヘッド３０のノズル形成面３２に形成されるノズル列３１は、記録ヘッド３０が延びる方向である幅方向に沿う構成に限らない。例えば、幅方向に対して斜めにノズル列３１を配列することで、ノズル３１ａの数を増やさなくともより高画質な画像を形成することができる。
【００５８】
・上記実施形態において、支持フレーム３５が、連結部８０の機能を有する構成であってもよい。この場合、支持フレーム３５が熱伝導性のよい材料である熱伝導材料で形成されることとなる。そして、支持フレーム３５を構成する長尺板部３７が、記録ヘッド３０と接触する構成が好ましい。
【００５９】
・上記実施形態において、連結部８０に分岐部８３を設けない構成でもよい。例えば、長尺部８１が記録ヘッド３０と接触する構成でもよい。
・上記実施形態において、連結部８０により連結される発熱体の数は、記録ヘッド３０における長手方向の端部にそれぞれ設けられる搬送モーター２４及び調節モーター２５の２つだけに限らない。例えば、支持フレーム３５から離間した位置に設けられたモーターや電磁クラッチなどの発熱体を含めて３つ以上の発熱体が連結される構成であってもよい。
【００６０】
・上記実施形態において、各基板６１〜６４は、幅方向や搬送方向から見て、記録ヘッド３０、液体貯留部４０及びインクトレイ５０と重なる構成でもよい。鉛直方向において重ならない位置に設けられていれば、万が一インク漏れが生じたとしても、基板６１〜６４にインクが付着する虞は低減できる。さらに、各基板６１〜６４に接続される配線の長さを短くすることができる。
【００６１】
・上記実施形態において、記録装置は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００６２】
１１…プリンター（記録装置）、１２…筐体、２０…搬送部、２４…搬送モーター（発熱体）、２５…調節モーター（発熱体）、３０…記録ヘッド、３５…支持フレーム、６２…ヘッド制御基板、６４…電源基板、７０…基板配置領域、８０…連結部、９０…ヒートシンク（放熱部）。
【図１】
2016159505.tif 000003
【図２】
2016159505.tif 000004
【図３】
2016159505.tif 000005
【図４】
2016159505.tif 000006